(57)【要約】【課題】補助リセット期間に発光セルに十分な壁電荷を形成することができるプラズマ表示装置及びその駆動方法を提供する。【解決手段】プラズマ表示装置は第１、第２電極Ｙ、Ｘ及び第１、第２電極と交差する方向に第３電極Ａが形成されている。複数の第１サブフィールドの維持期間に、第１、第２電極に複数の維持パルスＶｓを交互に印加する。そして、各第１サブフィールドに続く複数の第２サブフィールドの補助リセット期間に、第１電極Ｙの電圧を第１電圧から第２電圧まで漸進的に増加させた後、第１電極の電圧を第３電圧から第４電圧まで漸進的に減少させる。この時、各第１サブフィールドには複数の維持パルスを第１グループ、及び少なくとも最後の維持パルスを含む第２グループに区分し、第２グループに属する維持パルスの幅を第１グループに属する維持パルスの幅より長くする。【選択図】図３
2009086624.tif 000002
【特許請求の範囲】
【請求項１】
第１電極及び第２電極、及び前記第１電極及び第２電極と交差する方向に形成されている第３電極を含み、前記第１電極、第２電極、及び第３電極によって放電セルが定義されるプラズマ表示装置の駆動方法において、
１フレームをそれぞれの加重値を有する複数のサブフィールドに分割する段階と、
前記複数のサブフィールドのうちの続く複数の第１サブフィールドの各維持期間に、前記第１電極及び前記第２電極に複数の維持パルスを交互に印加する段階と、
前記複数の第１サブフィールドのうちの前記各維持期間に続く少なくとも一部の第１サブフィールドの補助リセット期間に、前記第１電極の電圧を第１電圧から第２電圧まで漸進的に増加させる段階と、
前記補助リセット期間に、前記第１電極の電圧を第３電圧から第４電圧まで漸進的に減少させる段階と、を含み、
前記少なくとも一部の第１サブフィールドにおいて、
前記複数の維持パルスは、印加される順によって第１グループ、及び少なくとも最後の維持パルスを含む第２グループに区分され、前記第２グループに属する維持パルスの幅は、前記第１グループに属する維持パルスの幅より長いことを特徴とするプラズマ表示装置の駆動方法。
【請求項２】
前記少なくとも一部の第１サブフィールドにおいて前記第２グループに属する維持パルスの数は、前記少なくとも一部の第１サブフィールドの加重値によって異なることを特徴とする請求項１に記載のプラズマ表示装置の駆動方法。
【請求項３】
前記少なくとも一部の第１サブフィールドのうちの第２サブフィールドにおいて前記第２グループに属する維持パルスの数は、前記少なくとも一部の第１サブフィールドのうちの前記第２サブフィールドより加重値の大きい第３サブフィールドにおいて前記第２グループに属する維持パルスの数より少ないことを特徴とする請求項２に記載のプラズマ表示装置の駆動方法。
【請求項４】
前記放電セルが前記補助リセット期間の直前の第１サブフィールドにおいて非発光セルである場合、前記補助リセット期間でリセット放電されないことを特徴とする請求項１乃至３のいずれか一項に記載のプラズマ表示装置の駆動方法。
【請求項５】
前記第１電極の電圧を増加させる段階は、前記第２電極に第５電圧を印加する段階を含み、前記第１電極の電圧を減少させる段階は、前記第２電極に前記第５電圧より高い第６電圧を印加する段階を含むことを特徴とする請求項４に記載のプラズマ表示装置の駆動方法。
【請求項６】
前記複数のサブフィールドのうちの第４サブフィールドのメインリセット期間に、前記第２電極に第７電圧を印加した状態で、前記第１電極の電圧を第８電圧から第９電圧まで漸進的に増加させる段階、そして前記第２電極に前記第７電圧より高い第１０電圧を印加した状態で、前記第１電極の電圧を第１１電圧から第１２電圧まで漸進的に減少させる段階をさらに含み、前記第２電圧及び前記第５電圧の差は、前記第９電圧及び前記第７電圧の差より小さいことを特徴とする請求項５に記載のプラズマ表示装置の駆動方法。
【請求項７】
第１電極及び第２電極、及び前記第１電極及び第２電極と交差する方向に形成されている第３電極を含み、前記第１電極、第２電極、及び第３電極によって放電セルが定義されるプラズマ表示装置の駆動方法において、
１つのフィールドを複数のサブフィールドに分割する段階と、
前記複数のサブフィールドのうちの複数の第１サブフィールドのリセット期間に、前記第１電極の電圧から第２電極の電圧を引いた値を第１電圧から第２電圧まで漸進的に増加させた後、第３電圧から第４電圧まで漸進的に減少させる段階と、
前記複数のサブフィールドのうちの複数の第２サブフィールドのリセット期間に、前記第１電極の電圧から第２電極の電圧を引いた値を第５電圧から前記第２電圧より低い第６電圧まで漸進的に増加させた後、第７電圧から第８電圧まで漸進的に減少させる段階と、
前記複数のサブフィールドのうちの前記複数の第２サブフィールドの直前の複数の第３サブフィールドの維持期間に、第１期間の間は、前記第１及び第２電極に複数の第１維持パルスを交互に印加する段階と、
前記複数の第３サブフィールドの維持期間に、前記第１期間以降の第２期間の間は、前記第１及び第２電極に前記第１維持パルスの幅より長い少なくとも１つの第２維持パルスを交互に印加する段階と、を含むことを特徴とするプラズマ表示装置の駆動方法。
【請求項８】
前記複数の第３サブフィールドのうちの第４サブフィールドにおいて前記第２維持パルスの個数は、前記複数の第３サブフィールドのうちの前記第４サブフィールドより加重値の大きい第５サブフィールドにおいて前記第２維持パルスの個数より少ないことを特徴とする請求項７に記載のプラズマ表示装置の駆動方法。
【請求項９】
前記少なくとも一つの第２維持パルスは、前記複数の第３サブフィールドの維持期間に最後に印加される維持パルスであることを特徴とする請求項８に記載のプラズマ表示装置の駆動方法。
【請求項１０】
複数の放電セルと、
１フレームをそれぞれの加重値を有する複数のサブフィールドに分割して駆動されるように制御する制御部と、
前記複数のサブフィールドのうちの複数の第１サブフィールドの維持期間に、前記複数の放電セルに複数の第１維持パルスを印加した後、前記複数の放電セルに前記第１維持パルスの幅より長い少なくとも１つの第２維持パルスを印加して、前記複数の放電セルのうちの発光セルを維持放電させ、前記複数の第１サブフィールドの維持期間に続く複数の第２サブフィールドのリセット期間に、前記第１サブフィールドの前記発光セルをリセット放電させるリセット波形を前記複数の放電セルに印加する駆動部と、を含むことを特徴とするプラズマ表示装置。
【請求項１１】
前記制御部は、前記複数の第１サブフィールドを加重値の大きさ順に複数のグループに区分し、
前記複数のグループのうちの第１グループのサブフィールドにおいて前記少なくとも一つの第２維持パルスの数は、前記複数のグループのうちの前記第１グループのサブフィールドより大きい加重値を有する第２グループのサブフィールドにおいて前記少なくとも一つの第２維持パルスの数より少なく設定されることを特徴とする請求項１０に記載のプラズマ表示装置。
【請求項１２】
複数の第１電極と、
前記複数の第１電極と共に表示動作を行う複数の第２電極と、をさらに含み、
前記複数の放電セルは、複数の第１電極及び複数の第２電極によって定義され、
前記駆動部は、維持期間に、前記複数の第１電極及び前記複数の第２電極に前記複数の第１維持パルスを交互に印加した後、少なくとも１つの第２維持パルスを交互に印加し、
前記少なくとも１つの第２維持パルスは、前記維持期間に印加される最後の維持パルスを含むことを特徴とする請求項１１に記載のプラズマ表示装置。
【請求項１３】
前記第１サブフィールドのリセット期間に、前記複数の放電セルをリセット放電させるリセット波形を前記複数の放電セルに印加することを特徴とする請求項１１に記載のプラズマ表示装置。
【請求項１４】
前記第２維持パルスによる維持放電によって前記発光セルに形成される壁電荷の量が、前記第１維持パルスによる維持放電によって前記発光セルに形成される壁電荷の量より多いことを特徴とする請求項１０乃至１３のいずれか一項に記載のプラズマ表示装置。
【発明の詳細な説明】
【技術分野】
【０００１】
本発明は、プラズマ表示装置及びその駆動方法に関する。
【背景技術】
【０００２】
プラズマ表示装置は、気体放電によって生成されたプラズマを利用して、文字または画像を表示するプラズマ表示パネルを利用した表示装置である。
【０００３】
プラズマ表示装置は、１フレームを各々の輝度加重値を有する複数のサブフィールドに分割して駆動する。各サブフィールドのリセット期間の間に、リセット放電によってセルが初期化され、アドレス期間の間に、アドレス放電によって発光セル及び非発光セルが選択される。そして、維持期間の間に、発光セルで当該サブフィールドの加重値に対応する回数だけ維持放電が起こって画像が表示される。この時、１フレームのうちの一部のサブフィールドのリセット期間は、全てのセルでリセット放電が起こるメインリセット期間からなり、残りの一部のサブフィールドのリセット期間は、直前のサブフィールドで維持放電が起こった発光セルだけでリセット放電が起こる補助リセット期間からなる。
【０００４】
一般に、補助リセット期間には、走査電極に高い電圧が印加され、維持放電が終わった後に、維持電極に正の電圧が印加され、アドレス電極に接地電圧が印加された状態で、走査電極の電圧がランプ形態で減少する。しかし、温度が上昇するほど放電遅延が短縮されて放電開始電圧が低くなって、走査電極の電圧がランプ形態で減少して、電極に形成された壁電荷が多く消失される。また、アドレス期間に遅れてアドレス放電が起こるセルは、壁電荷がさらに多く消失される。このように、壁電荷が所望の状態より少なく形成されると、アドレス放電が弱く起こって、発光セルの維持放電が弱く起こる低放電現象が起こることがある。
【発明の開示】
【発明が解決しようとする課題】
【０００５】
本発明が目的とする技術的課題は、補助リセット期間に発光セルに十分な壁電荷を形成することができる、プラズマ表示装置及びその駆動方法を提供することにある。
【課題を解決するための手段】
【０００６】
本発明の一実施例によれば、第１電極及び第２電極、及び前記第１電極及び第２電極と交差する方向に形成されている第３電極を含み、前記第１電極、第２電極、及び第３電極によって放電セルが定義されるプラズマ表示装置の駆動方法が提供される。この駆動方法は、１フレームをそれぞれの加重値を有する複数のサブフィールドに分割する段階と、前記複数のサブフィールドのうちの続く複数の第１サブフィールドの各維持期間に、前記第１電極及び前記第２電極に複数の維持パルスを交互に印加する段階と、前記複数の第１サブフィールドのうちの前記各維持期間に続く少なくとも一部の第１サブフィールドの補助リセット期間に、前記第１電極の電圧を第１電圧から第２電圧まで漸進的に増加させる段階と、前記補助リセット期間に、前記第１電極の電圧を第３電圧から第４電圧まで漸進的に減少させる段階と、を含み、前記少なくとも一部の第１サブフィールドにおいて、前記複数の維持パルスは、印加される順によって第１グループ、及び少なくとも最後の維持パルスを含む第２グループに区分され、前記第２グループに属する維持パルスの幅は、前記第１グループに属する維持パルスの幅より長い。
【０００７】
本発明の他の実施例によれば、第１電極及び第２電極、及び前記第１電極及び第２電極と交差する方向に形成されている第３電極を含み、前記第１電極、第２電極、及び第３電極によって放電セルが定義されるプラズマ表示装置の駆動方法が提供される。この駆動方法は、１つのフィールドを複数のサブフィールドに分割する段階と、前記複数のサブフィールドのうちの複数の第１サブフィールドのリセット期間に、前記第１電極の電圧から第２電極の電圧を引いた値を第１電圧から第２電圧まで漸進的に増加させた後、第３電圧から第４電圧まで漸進的に減少させる段階と、前記複数のサブフィールドのうちの複数の第２サブフィールドのリセット期間に、前記第１電極の電圧から第２電極の電圧を引いた値を第５電圧から前記第２電圧より低い第６電圧まで漸進的に増加させた後、第７電圧から第８電圧まで漸進的に減少させる段階と、前記複数のサブフィールドのうちの前記複数の第２サブフィールドの直前の複数の第３サブフィールドの維持期間に、第１期間の間は、前記第１及び第２電極に複数の第１維持パルスを交互に印加する段階と、前記複数の第３サブフィールドの維持期間に、前記第１期間以降の第２期間の間は、前記第１及び第２電極に前記第１維持パルスの幅より長い少なくとも１つの第２維持パルスを交互に印加する段階と、を含む。
【０００８】
本発明のまた他の実施例によれば、複数の放電セル、制御部、そして駆動部を含むプラズマ表示装置が提供される。制御部は、１フレームをそれぞれの加重値を有する複数のサブフィールドに分割して駆動されるように制御する。そして駆動部は、  前記複数のサブフィールドのうちの複数の第１サブフィールドの維持期間に、前記複数の放電セルに複数の第１維持パルスを印加した後、前記複数の放電セルに前記第１維持パルスの幅より長い少なくとも１つの第２維持パルスを印加して、前記複数の放電セルのうちの発光セルを維持放電させ、前記複数の第１サブフィールドの維持期間に続く複数の第２サブフィールドのリセット期間に、前記第１サブフィールドの前記発光セルをリセット放電させるリセット波形を前記複数の放電セルに印加する。
【発明の効果】
【０００９】
本発明によれば、補助リセット期間に発光セルに壁電荷を十分に形成することによって、高温低放電現象を改善することができる。
【発明を実施するための最良の形態】
【００１０】
以下、添付した図面を参照して、本発明の実施例について、本発明が属する技術分野で通常の知識を有する者が容易に実施することができるように詳細に説明する。しかし、本発明は多様な相異した形態で実施できここで説明する実施例に限定されるものではない。
【００１１】
図面では、本発明を明確に説明するために、説明に不必要な部分は省略した。明細書全体を通して類似した部分には、同一な図面符号を付けた。
【００１２】
それでは、本発明の実施例によるプラズマ表示装置及びその駆動方法について詳細に説明する。
【００１３】
図１は本発明の実施例によるプラズマ表示装置を概略的に示した図面である。
【００１４】
図１に示したように、本発明の実施例によるプラズマ表示装置は、プラズマ表示パネル１００、制御部２００、アドレス電極駆動部３００、走査電極駆動部４００、及び維持電極駆動部５００を含む。
【００１５】
プラズマ表示パネル１００は、列方向にのびている複数のアドレス電極（以下、Ａ電極とする；Ａ１〜Ａｍ）、そして行方向に互いに対をなしてのびている複数の維持電極（以下、Ｘ電極とする；Ｘ１〜Ｘｎ）及び走査電極（以下、Ｙ電極とする；Ｙ１〜Ｙｎ）を含む。一般に、Ｘ電極（Ｘ１〜Ｘｎ）は、各Ｙ電極（Ｙ１〜Ｙｎ）に対応して形成されていて、Ｘ電極（Ｘ１〜Ｘｎ）及びＹ電極（Ｙ１〜Ｙｎ）が維持期間に画像を表示するための表示動作を行う。Ｙ電極（Ｙ１〜Ｙｎ）及びＸ電極（Ｘ１〜Ｘｎ）は、Ａ電極（Ａ１〜Ａｍ）と直交するように配置される。この時、Ａ電極（Ａ１〜Ａｍ）とＸ電極及びＹ電極（Ｘ１〜Ｘｎ、Ｙ１〜Ｙｎ）との交差部にある放電空間がセル１１０を形成する。このようなプラズマ表示パネル１００の構造は一例であり、下記で説明する駆動波形が適用される他の構造のパネルも本発明に適用される。
【００１６】
制御部２００は、外部から画像信号を受信して、Ａ電極、Ｘ電極、及びＹ電極駆動制御信号を出力し、１フレームを各々の輝度加重値を有する複数のサブフィールドに分割して駆動する。
【００１７】
アドレス電極駆動部３００は、制御部２００からの駆動制御信号によって複数のＡ電極（Ａ１〜Ａｍ）に駆動電圧を印加する。
【００１８】
走査電極駆動部４００は、制御部２００からの駆動制御信号によって複数のＹ電極（Ｙ１〜Ｙｎ）に駆動電圧を印加する。
【００１９】
維持電極駆動部５００は、制御部２００からの駆動制御信号によって複数のＸ電極（Ｘ１〜Ｘｎ）に駆動電圧を印加する。
【００２０】
図２は本発明の実施例によるプラズマ表示装置の駆動方法を概略的に示した図面である。
【００２１】
図２に示したように、１フレームは、各々の荷重値を有する複数のサブフィールドで構成されることができる。図２では１フレームが各々１，２，３，５，８，１２，１８，１９，４０，５９、及び７８の加重値を有する１１つのサブフィールド（ＳＦ１−ＳＦ１１）で構成されるものとして示した。各サブフィールド（ＳＦ１−ＳＦ１１）は、リセット期間、アドレス期間、及び維持期間で構成される。このとき、複数のサブフィールドのうちの一部のサブフィールドのリセット期間は、メインリセット期間であることもでき、複数のサブフィールドのうちの残り一部のサブフィールドのリセット期間は、補助リセット期間であることもできる。図２ではサブフィールド（ＳＦ１）のリセット期間をメインリセット期間として示し、残りのサブフィールド（ＳＦ２−ＳＦ１１）のリセット期間を補助リセット期間として示した。
【００２２】
図３は本発明の第１実施例によるプラズマ表示装置の駆動波形を示した図面である。図３では、説明の便宜上、複数のサブフィールドのうちの２つのサブフィールド（ＳＦ１、ＳＦ２）の駆動波形だけを示し、１つのＸ電極、Ｙ電極、及びＡ電極（Ａ）によって定義されるセルを基準にして説明する。
【００２３】
図３に示したように、サブフィールド（ＳＦ１）のメインリセット期間に、アドレス電極駆動部３００及び維持電極駆動部５００は、各々Ａ電極及びＸ電極を基準電圧（図３では０Ｖ）でバイアスし、走査電極駆動部４００は、Ｙ電極の電圧をＶｓ電圧からＶｓｅｔ電圧まで漸進的に増加させる。図３では、Ｙ電極の電圧をランプ形態で増加させることを示した。そうすると、Ｙ電極の電圧が増加する間にＹ電極及びＸ電極の間及びＹ電極及びＡ電極の間で微弱な放電（以下、弱放電とする）が起こって、Ｙ電極には（−）壁電荷が形成され、Ｘ電極及びＡ電極には（＋）壁電荷が形成される。この時、すべてのセルで放電が起こるように、Ｖｓｅｔ電圧は、Ｘ電極及びＹ電極の間の放電開始電圧より大きく設定される。
【００２４】
次に、維持電極駆動部５００は、Ｘ電極をＶｅ電圧でバイアスし、走査電極駆動部４００は、Ｙ電極の電圧をＶｓ電圧からＶｎｆ電圧まで漸進的に減少させる。図３では、Ｙ電極の電圧をランプ形態で減少させることを示した。そうすると、Ｙ電極の電圧が減少する間にＹ電極及びＸ電極の間及びＹ電極及びＡ電極の間で弱放電が起こって、Ｙ電極に形成された（−）壁電荷及びＸ電極及びＡ電極に形成された（＋）壁電荷が消去される。一般に、アドレス期間に選択されないセルで維持期間に維持放電が起こらないように、Ｙ電極及びＸ電極の間の壁電圧がほぼ０Ｖに近似するようにＶｅ電圧及びＶｎｆ電圧が設定される。つまり、（Ｖｅ−Ｖｎｆ）電圧がＹ電極及びＸ電極の間の放電開始電圧程度に設定される。
【００２５】
次に、アドレス期間に、維持電極駆動部５００は、Ｘ電極の電圧をＶｅ電圧に維持した状態で、発光セルを選択するために、走査電極駆動部４００及びアドレス電極駆動部３００は、Ｙ電極及びＡ電極に各々ＶｓｃＬ電圧を有する走査パルス及びＶａ電圧を有するアドレスパルスを印加する。そして、選択されないＹ電極は、ＶｓｃＬ電圧より高いＶｓｃＨ電圧でバイアスされ、非発光セルのＡ電極には基準電圧が印加される。この時、ＶｓｃＬ電圧は、Ｖｎｆ電圧と同一であるか低い電圧である。
【００２６】
具体的には、アドレス期間に、走査電極駆動部４００及びアドレス電極駆動部３００は、最初の行のＹ電極（図１のＹ１）に走査パルスを印加すると同時に、最初の行のうちの発光セルに位置するＡ電極にアドレスパルスを印加する。そうすると、最初の行のＹ電極及びアドレスパルスが印加されたＡ電極によって定義されるセルでアドレス放電が起こって、Ｙ電極に（＋）壁電荷が形成され、Ａ電極及びＸ電極に各々（−）壁電荷が形成される。次に、走査電極駆動部４００及びアドレス電極駆動部３００は、第２行のＹ電極（図１のＹ２）に走査パルスを印加し、第２行のうちの発光セルに位置するＡ電極にアドレスパルスを印加する。そうすると、第２行のＹ電極及びアドレスパルスが印加されたＡ電極によって定義されるセルでアドレス放電が起こって、セルに壁電荷が形成される。同様に、走査電極駆動部４００及びアドレス電極駆動部３００は、残り行のＹ電極にも順次に走査パルスを印加し、残りの行のうちの発光セルに位置するＡ電極にもアドレスパルスを印加して、壁電荷を形成する。
【００２７】
次に、維持期間に、走査電極駆動部４００は、Ｙ電極にハイレベル電圧（図３ではＶｓ）及びローレベル電圧（図３では０Ｖ）を交互に有する維持パルスを当該サブフィールドの加重値に対応する回数だけ印加する。そして、維持電極駆動部５００は、Ｘ電極に維持パルスをＹ電極に印加される維持パルスと反対の位相で印加する。このようにすると、Ｙ電極及びＸ電極の電圧差がＶｓ電圧及び−Ｖｓ電圧を交互に有し、それによって発光セルで維持放電が所定の回数だけ繰返し起こる。
【００２８】
そして、サブフィールド（ＳＦ１）の維持期間に続くサブフィールド（ＳＦ２）の補助リセット期間に、維持電極駆動部５００は、Ｘ電極に基準電圧を印加し、走査電極駆動部４００は、Ｙ電極の電圧をＶｓ１電圧からＶｓｅｔ１電圧まで漸進的に増加させる。そうすると、Ｘ電極及びＹ電極の間の壁電圧及びＹ電極の電圧の合計がＸ電極及びＹ電極の間の放電開始電圧を越える場合に、Ｙ電極及びＸ電極の間に弱放電が起こる。また、Ｙ電極が増加する間にＹ電極及びＡ電極の間の壁電圧及びＹ電極の電圧の合計がＡ電極及びＹ電極の間の放電開始電圧を越える場合に、Ｙ電極及びＡ電極の間でも弱放電が起こって、発光セルのＹ電極には（−）壁電荷が形成され、発光セルのＸ電極及びＡ電極には（＋）壁電荷が形成される。
【００２９】
この時、サブフィールド（ＳＦ２）のリセット期間は補助リセット期間であるので、直前のサブフィールド（ＳＦ１）で維持放電が起こらない場合に、リセット放電が起こらないように、Ｖｓｅｔ１電圧を設定する。しかし、前記のように、Ｙ電極の電圧がＶｓｅｔ電圧まで増加すると、全てのセルでリセット放電が起こるので、Ｖｓｅｔ１電圧は、Ｖｓｅｔ電圧より低い電圧に設定される。
【００３０】
次に、補助リセット期間に、維持電極駆動部５００及びアドレス電極駆動部３００は、各々Ｘ電極及びＡ電極にＶｅ電圧及び基準電圧を印加した状態で、走査電極駆動部４００は、Ｙ電極の電圧をＶｓ２電圧からＶｎｆ電圧まで漸進的に減少させる。Ｙ電極の電圧をＶｓｅｔ１電圧からＶｎｆ電圧で漸進的に減少させることもできるが、このようにするとリセット期間が長くなるので、放電が開始されないＶｓ２電圧から減少させる。そうすると、Ｙ電極の電圧が減少する間に発光セルのＹ電極及びＸ電極の間及び発光セルのＹ電極及びＡ電極の間で弱放電が起こって、発光セルのＹ電極に形成された（−）壁電荷及び発光セルのＸ電極及びＡ電極に形成された（＋）壁電荷が消去される。
【００３１】
次に、サブフィールド（ＳＦ２）でも、アドレス期間に、アドレス放電によって発光セル及び非発光セルを選択し、維持期間に、発光セルに対して維持放電を行う。
【００３２】
このように、本発明の第１実施例では、補助リセット期間にＹ電極の電圧を漸進的に減少させる前に、発光セルに弱放電を起こして壁電荷が設定されるので、発光セルのアドレス放電が弱いために発生する低放電現象を改善することができる。一方、補助リセット期間前に発光セルに十分な壁電荷が形成されていれば、補助リセット期間に弱放電が円滑に起こる。以下では、補助リセット期間に発光セルに十分な壁電荷を形成することができる実施例について、図４乃至図６を参照して詳細に説明する。
【００３３】
図４乃至図６は各々本発明の第２乃至第４実施例によるプラズマ表示装置の駆動波形を示した図面である。図４乃至図６では維持期間の駆動波形だけを示した。
【００３４】
先ず、図４に示したように、本発明の第２実施例によれば、補助リセット期間を有するサブフィールドの直前のサブフィールドの維持期間に、維持電極駆動部５００は、Ｘ電極に最後に印加される維持パルスの幅を他の維持パルスの幅より長くする。このようにすると、Ｘ電極及びＹ電極の電圧差及びＸ電極及びＡ電極の電圧差がＶｓ電圧を維持する期間が長くなるので、最後の維持放電が起こった後に電荷がセルに多く形成される。
【００３５】
また、図５に示したように、本発明の第３実施例によれば、補助リセット期間を有するサブフィールドの直前のサブフィールドの維持期間に、走査電極駆動部４００及び維持電極駆動部５００は、各々Ｙ電極及びＸ電極に印加される最後の維持パルスを含む一つ以上の維持パルスの幅を他の維持パルスの幅より長くできる。
【００３６】
一般に、加重値の小さいサブフィールドは、維持パルスの個数が少ないため、長い幅を有する維持パルスを印加してもセルに壁電荷が多く形成されないことがある。従って、図６に示したように、本発明の第４実施例によれば、走査電極駆動部４００及び維持電極駆動部５００は、加重値の大きいサブフィールドに行くほど長い幅を有する維持パルスをＸ電極及びＹ電極にさらに多く印加する。
【００３７】
つまり、本発明の第４実施例によれば、制御部（図１の２００）は、維持期間に印加される複数の維持パルスを少なくとも二つのグループに区分し、時間的に前のグループ（第１グループ）は一般的な維持パルスを割り当て、後のグループ（第２グループ）は長い幅を有する維持パルスを割り当てる。また、制御部２００は、１フレームをなす複数のサブフィールドを加重値順に複数のグループに区分し、相対的に加重値の小さいサブフィールドを含むグループのサブフィールドにおいて長い幅を有する維持パルスの個数を、相対的に加重値の大きいサブフィールドを含むグループのサブフィールドにおいて長い幅を有する維持パルスの個数より少なく割り当てる。図６では、サブフィールド（ＳＦ１）には長いパルス幅を有する維持パルスを張り当てず、サブフィールド（ＳＦ２−ＳＦ３）には長いパルス幅を有する一つの維持パルスを割り当て、サブフィールド（ＳＦ４）には長いパルス幅を有する二つの維持パルスを割り当て、サブフィールド（ＳＦ５−ＳＦ１０）には長いパルス幅を有する４つの維持パルスを割り当てたものとして示した。このようにすれば、荷重値の大きいサブフィールドに行くほどセルに壁電荷をより多く形成することができ、これにより補助リセット期間で弱放電を円滑に行える。一方、１フレームの最後のサブフィールドの場合、次のフレームでメインリセット期間が行われるので、制御部２００は長い幅を有する維持パルスを多く割り当てない。
【００３８】
以上で、本発明の実施例について詳細に説明したが、本発明の権利範囲はこれに限定されず、請求の範囲で定義している本発明の基本概念を利用した当業者の多様な変形及び改良形態も本発明の権利範囲に属する。
【図面の簡単な説明】
【００３９】
【図１】本発明の実施例によるプラズマ表示装置を概略的に示した図面である。
【図２】本発明の実施例によるプラズマ表示装置の駆動方法を説明するために概略的に示した図面である。
【図３】本発明の第１実施例によるプラズマ表示装置の駆動波形を示した図面である。
【図４】本発明の第２実施例によるプラズマ表示装置の駆動波形を示した図面である。
【図５】本発明の第３実施例によるプラズマ表示装置の駆動波形を示した図面である。
【図６】本発明の第４実施例によるプラズマ表示装置の駆動波形を示した図面である。
【符号の説明】
【００４０】
１００    プラズマ表示パネル
１１０    放電セル
２００    制御部
３００    アドレス電極駆動部
４００    走査電極駆動部
５００    維持電極駆動部
【図１】
2009086624.tif 000003
【図２】
2009086624.tif 000004
【図３】
2009086624.tif 000005
【図４】
2009086624.tif 000006
【図５】
2009086624.tif 000007
【図６】
2009086624.tif 000008